(57)【要約】      （修正有）【課題】訴求力の強い店頭宣伝用イーゼルを提供する。【解決手段】店頭宣伝用イーゼル黒板やメニューイーゼルなどの任意の場所を１ヶ所以上くり抜き、どこでもＷＥＢサイトを表示できるよう、無線設備や蓄電池を設けたインターネットパソコン等のＷＥＢサイト表示装置を設備し、インターネット上のサーバーにあらかじめ蓄えた或いはアップロードしたデーターを、あらかじめ用意したＣＧＩプログラムを選択利用しアップロード或いはダウンロードし、手書き文字やメニュー等とマッチする静止画像、動画像、音声、芳香などを組み合わせコントロールし繰り返し表示する。【選択図】図１
2006106299.tif 000002
【特許請求の範囲】
【請求項１】
店頭設置用手書きイーゼル黒板において、少なくともその一部分以上にＷＥＢサイトも表示できる表示装置を組み込み、手書き文字とＷＥＢサイトの表示内容とを連携させ表示する事で訴求力を増強する事を特徴とする「ＷＥＢサイト表示装置一体型店頭宣伝用ネットイーゼル」
【請求項２】
店頭設置用手書きイーゼル黒板において、少なくともその一部分以上にＷＥＢサイトも表示できる表示装置と芳香カプセルを組み込み、手書き文字とＷＥＢサイトの表示内容を連携し、更に芳香カプセルを制御し表示内容と関連ある香りを芳香する事で訴求力を増強する事を特徴とする「ＷＥＢサイト表示装置一体型店頭宣伝用ネットイーゼル」
【請求項３】
店頭設置用手書きイーゼル黒板において、少なくともその一部分以上をくり抜き防水カバーを取り付けた黒板トップ部分と、 ＷＥＢサイトも表示できる表示装置を組み込んだ収納台部分とに分離し、これらに連結用スライドインフレーム及び連結ロック金具受けを取付け、容易に一体化若しくは脱着可能としその維持管理を容易にし、且つ手書き文字とＷＥＢサイトの表示内容とを連携させ表示する事で訴求力を増強する事を特徴とする「ＷＥＢサイト表示装置一体型店頭宣伝用ネットイーゼル」
【請求項４】
店頭設置用手書きイーゼル黒板において、少なくともその一部分以上をくり抜き防水カバーを取り付けた黒板トップ部分と、 ＷＥＢサイトも表示できる表示装置を組み込み自立できるよう少なくとも３本以上の脚を取付け、更に仰角を調整できる金具を備えた収納台部分とに分離し、これらに連結用スライドインフレーム及び連結ロック金具受けを取付け、一体化若しくは脱着可能としその維持管理を容易にし、且つ手書き文字とＷＥＢサイトの表示内容とを連携させ表示する事で訴求力を増強する事を特徴とする「ＷＥＢサイト表示装置一体型店頭宣伝用ネットイーゼル」
【請求項５】
店頭設置用手書きイーゼル黒板において、インターネット接続環境のない処でも、フロッピー、CDROM、DVD等のメディアにあらかじめWEBサイトのデーターをコピーしこれを表示し、その表示内容と黒板に手書きされている内容とを連携させ表示し訴求力を増強する事を特徴とする「ＷＥＢサイト表示装置一体型店頭宣伝用ネットイーゼル」
【請求項６】
店頭設置用手書きイーゼル黒板において、インターネット接続環境のない処でも、フロッピー、CDROM、DVD等のメディアにあらかじめWEBサイトのデーターをコピーしこれを表示し、その表示内容と黒板に手書きされている内容とを連携表示し、更に芳香カプセルを制御し関連する香りを芳香する事で、訴求力を増強する事を特徴とする「ＷＥＢサイト表示装置一体型店頭宣伝用ネットイーゼル」
【請求項７】
店頭設置用メニュー・パンフレット掲示型イーゼル型店頭表示装置において、少なくとも一部分以上にＷＥＢサイトも表示できる表示装置を組込みＷＥＢサイトの表示内容とメニューやパンフレットの表示内容とを連携させ表示する事で訴求力を増強する事を特徴とする「ＷＥＢサイト表示装置一体型店頭設置型掲示板イーゼル」。
【請求項８】
店頭設置用メニュー・パンフレット掲示型イーゼル等店頭表示装置において、少なくともその一部分以上にＷＥＢサイトも表示できる表示装置と芳香カプセルを組込み、メニューやパンフレットの表示内容とＷＥＢサイトの表示内容とを連携表示し、芳香カプセルを制御し関連ある香りを芳香する事で訴求力を増強する事を特徴とする「ＷＥＢサイト表示装置一体型店頭設置型掲示板イーゼル」。
【請求項９】
店頭設置用メニュー・パンフレット掲示型イーゼル等店頭表示装置において、少なくともその一部分以上をくり抜き防水カバーを取り付けた掲示台トップ部分と、 ＷＥＢサイトも表示できる表示装置を組み込んだ収納台部分とに分離し、これらに連結用スライドインフレーム及び連結ロック金具受けを取付け、一体化若しくは脱着可能としその維持管理を容易にし、且つメニューやパンフレットの表示内容とＷＥＢサイトの表示内容とを連携させ表示する事で訴求力を増強する事を特徴とする「ＷＥＢサイト表示装置一体型店頭宣伝用ネットイーゼル」
【請求項１０】
店頭設置用メニュー・パンフレット掲示型イーゼル等店頭表示装置において、少なくともその一部分以上をくり抜き防水カバーを取り付けた掲示台トップ部分と、掲示台を支える支柱、ＷＥＢサイトも表示できる表示装置を納める収納箱、及びこの掲示台の仰角を調整する金具を備えた収納台部分とに分離し、更にこれらに連結用スライドインフレーム及び連結ロック金具受けを取付け、一体化若しくは脱着可能としその維持管理を容易にし、且つメニューやパンフレットの表示内容とＷＥＢサイトの表示内容とを連携させ表示する事で訴求力を増強する事を特徴とする「ＷＥＢサイト表示装置一体型店頭宣伝用ネットイーゼル」
【請求項１１】
店頭設置用メニュー・パンフレット掲示型イーゼル型店頭表示装置において、少なくともその一部分以上をくり抜きＷＥＢサイトも表示できる表示装置を設けた部分をメニュー・パンフレット掲示台に連結付加し、そのメニューやパンフレットの掲示内容と、これとＷＥＢサイトの表示内容とを連携させ、訴求力を増強する事を特徴とする「ＷＥＢサイト表示装置一体型店頭設置型掲示板イーゼル」
【請求項１２】
店頭設置用メニュー・パンフレット掲示型イーゼル等店頭表示装置において、少なくとも一部分以上をくり抜きＷＥＢサイトも表示できる表示装置と芳香カプセルを設けた部分をメニュー・パンフレット掲示台に連結付加し、メニューやパンフレットを同時に掲示し、その内容とＷＥＢサイトの表示内容と連携させ、更に芳香カプセルを制御し関連する香りを芳香し、訴求力を増強する事を特徴とする「ＷＥＢサイト表示装置一体型店頭設置型掲示板イーゼル」
【請求項１３】
店頭設置用メニュー・パンフレット掲示型イーゼル型店頭表示装置において、少なくとも一部分以上をくり抜き液晶ディスプレイ用窓を設けた部分をメニュー・パンフレット掲示台に連結付加したトップ部分と、 ＷＥＢサイトも表示できる表示装置を組み込んだ収納台部分とに分離し、これらに連結用スライドインフレーム及び連結ロック金具受けを取付け、一体化若しくは脱着可能としその維持管理を容易にし、且つトップ部分に表示されているメニューやパンフレットの掲示内容とＷＥＢサイトの表示内容とを連携させ表示する事で訴求力を増強する事を特徴とする「ＷＥＢサイト表示装置一体型店頭宣伝用ネットイーゼル」
【請求項１４】
店頭設置用メニュー・パンフレット掲示型イーゼル型店頭表示装置において、少なくとも一部分以上をくり抜き液晶ディスプレイ用窓を設けた部分をメニュー・パンフレット掲示台に連結付加したトップ部分と、 ＷＥＢサイトも表示できる表示装置と芳香カプセルを組み込んだ収納台部分とに分離し、これらに連結用スライドインフレーム及び連結ロック金具受けを取付け、一体化若しくは脱着可能としその維持管理を容易にし、且つトップ部分に表示されているメニューやパンフレットの掲示内容とＷＥＢサイトの表示内容を連携させ、更に芳香カプセルを制御し関連ある香りを芳香し、訴求力を増強する事を特徴とする「ＷＥＢサイト表示装置一体型店頭宣伝用ネットイーゼル」
【請求項１５】
店頭設置用メニュー・パンフレット掲示型イーゼル等店頭表示装置において、少なくとも一部分以上をくり抜き防水カバーを取り付けた液晶ディスプレイ用窓を設けた部分をメニュー・パンフレット掲示台に連結付加したトップ部分と、 ＷＥＢサイトも表示できる表示装置を組み込んだ収納台部分とに分離し、これらに連結用スライドインフレーム及び連結ロック金具受けを取付け、一体化若しくは脱着可能としその維持管理を容易にし、且つトップ部分に掲示されているメニューやパンフレットの掲示内容とＷＥＢサイトの表示内容とを連携させ表示する事で訴求力を増強する事を特徴とする「ＷＥＢサイト表示装置一体型店頭宣伝用ネットイーゼル」
【請求項１６】
店頭設置用メニュー・パンフレット掲示型イーゼル等店頭表示装置において、少なくともその一部分以上をくり抜き防水カバーを取り付けた液晶ディスプレイ用窓を設けた部分をメニュー・パンフレット掲示台に連結付加したトップ部分と、メニュー・パンフレット掲示台を支える支柱、ＷＥＢサイトも表示できる表示装置を納める収納箱、及びこの掲示台の仰角を調整する金具を備えた収納台部分とに分離し、更にこれらに連結用スライドインフレーム及び連結ロック金具受けを取付け、一体化若しくは脱着可能としその維持管理を容易にし、且つトップ部分に表示されているメニューやパンフレットの掲示内容と表示内容とＷＥＢサイトの表示内容とを連携させ表示する事で訴求力を増強する事を特徴とする「ＷＥＢサイト表示装置一体型店頭宣伝用ネットイーゼル」
【請求項１７】
店頭設置用メニュー・パンフレット掲示型イーゼル等店頭表示装置において、インターネット接続環境のない処でも、フロッピー、CDROM、DVD等のメディアにあらかじめWEBサイトのデーターをコピーしこれを表示し、その表示内容と掲示されたているメニューやパンフレットの内容とを連携表示する事で、訴求力を増強する事を特徴とする「ＷＥＢサイト表示装置一体型店頭宣伝用ネットイーゼル」
【請求項１８】
店頭設置用メニュー・パンフレット掲示型イーゼル等店頭表示装置において、インターネット接続環境のない処でも、フロッピー、CDROM、DVD等のメディアにあらかじめWEBサイトのデーターをコピーしこれを表示し、その表示内容と掲示されたているメニューやパンフレットの内容とを連携表示し、更に芳香カプセルを制御し関連する香りを芳香する事で、訴求力を増強する事を特徴とする「ＷＥＢサイト表示装置一体型店頭宣伝用ネットイーゼル」
【発明の詳細な説明】
【技術分野】
【０００１】
ＷＥＢサイトと連携し表示する為に必要なインターネットに関する情報処理技術、及びコンピューターの組込・設計・制御及びその製造技術、基礎入出力プログラム（ＢＩＯＳ）関連技術、サーバーからデーターをダウンロードし制御する為のＣＧＩプログラム作成技術。
【背景技術】
【０００２】
店頭用宣伝には、従来食品模型等を陳列したショーウインドーや、手作りを強調し手書文字を書込みイーゼル台に載せ使用する手書き黒板やメニューやパンフレットを掲示するための掲示台型イーゼルなどがあり、一般的に広く使用されています。
【発明の開示】
【発明が解決しようとする課題】
【０００３】
この手書き文字用イーゼル黒板やメニュー掲示台型イーゼルは、手作り感覚と高級感は充分アピールできるものの、訴求力が充分ではありませんでした。しかし、食品模型の入ったショーケースを設置すると、手書き文字黒板のもつ手作り感覚やメニュー掲示台型イーゼルのもつ高級感は無くなってしまうという課題がありました。又、イーゼルは、店頭設置を主目的としている為、通りすがりの顧客にしかアピールできないという課題がありました。またこの手書き黒板を設置するには、イーゼル台が必要であり別途購入しなければなりませんでした。更に、メニュー掲示台型イーゼルには、メニューやパンフレットを掲示するのみで、訴求力を上げる手だてがありませんでした。
【課題を解決するための手段】
【０００４】
この手書きイーゼル黒板やメニュー掲示台型イーゼルの訴求力不足を補い増強する為、動画、静止画、音声、香りをなどを付加できるよう、WEBサイトも表示出来る「液晶ディスプレイ付手書き黒板型店頭表示装置」、「液晶メニュー掲示型店頭表示装置」、「液晶ディスプレイ付メニュー掲示台型店頭表示装置」を設置し、あらかじめ個々の店頭表示装置毎にWEBサイトを構築し、これをインターネットを介してタイムリーにダウンロードし表示するか、インターネット環境がない場所では、あらかじめWEBサイトの内容をフロッピー、CDROM、DVD等のメディアにコピーし表示装置の制御プログラムを稼働させ表示する事で、手作り感覚や高級感を失わないよう、訴求力不足を補い、且つ店頭の顧客のみならず、遠方の顧客にもアピールする事を特徴とする「ＷＥＢサイト等表示装置一体型店頭宣伝用ネットイーゼル」を構築する事で、これらの課題を解決する。
【発明の効果】
【０００５】
WEBサイトも表示出来る「液晶ディスプレイ付手書き黒板型店頭表示装置」や「液晶メニュー掲示型店頭表示装置」や「液晶ディスプレイ付メニュー掲示台型店頭表示装置」を店頭宣伝に利用すれば、手書き文字のもつ手作り感覚やメニューのみを表示するという高級感や上品さを犠牲にせず、タイムリーで且つ訴求力ある店頭宣伝を展開する事ができ、プラスチックの食品模型の入ったショーケースを設置する事を良しとしない中高級レストランに最適なものである。更に、「インターネットサーバー部」（２３）から、必要となる静止画像、動画像、音声、芳香データ等をダウンロードしたり、「インターネットサーバー部」（２３）にアップロードしたり、手書き文字、或いはメニューやパンフレットの表示内容に合わせ連携表示し、訴求力を増強できる。インターネットを利用している事から、芳香をのぞいて店頭の顧客のみならず、遠方の顧客にもアピールする事ができる為、一石２鳥の効果が期待できる。又、「ＷＥＢサイト表示装置一体型店頭宣伝用ネットイーゼル」に接続されたデジタルカメラやマイクから送信されたデーターを、管理目的などに使用する事も可能である。もちろん、インターネットに接続されていない環境下においても、フロッピーディスク、CDROM、DVDなどのメディアを利用し、表示装置をコントロールできる事はいうまでもない。本発明では、液晶、液晶ディスプレイと説明しているが、プラズマディスプレイー、ＬＥＤ等のフラットディスプレイでも応用できる。更に、パソコン、ノートパソコンと説明しているが、ＰＤＡ、ケータイなどインターネットブラウザーを搭載しているコンピューターでも応用可能である。
【発明を実施するための最良の形態】
【０００６】
図１の「液晶ディスプレイ付き手書き黒板型店頭表示装置正面図」の[A]「液晶デイスプレイ付き手書き黒板表部」、図４の「液晶メニュー掲示型店頭表示装置概略図」の[A]「液晶ディスプレイ一体型メニュー掲示台」、図６の「液晶ディスプレイ付メニュー掲示台型店頭表示装置概略図」の[A]「液晶ディスプレイ部」等の任意の位置に「ＷＥＢサイト表示装置のディスプレイ部分が前面から見えるよう、一部をくり抜き「表示窓用開口部」（１）をつくり、液晶ディスプレイがみられるようにしてある。もし、画面を拡大する方がよい時はここに「拡大レンズ兼防水カバー」（２）を取り付け、小さなＷＥＢサイト表示装置の画面でも迫力のある映像を提供できるようにし、且つ突然の雨から表示装置を保護することができるようにしてある。
【０００７】
更に、図１の「液晶ディスプレイ付き手書き黒板型店頭表示装置正面図」の[B]、図４の「液晶メニュー掲示型店頭表示装置概略図」の[B]、図６の「液晶ディスプレイ付メニュー掲示台型店頭表示装置概略図」の[C]等の「液晶ディスプレイ又はノートパソコン収納台」に示すように、収納台とこれを支える「収納台支柱脚」（１２）を設け、図１の「液晶ディスプレイ付き手書き黒板型店頭表示装置正面図」の[A]「液晶デイスプレイ付き手書き黒板表部」、図４の「液晶メニュー掲示型店頭表示装置概略図」の[A]「液晶ディスプレイ一体型メニュー掲示台」、図６の「液晶ディスプレイ付メニュー掲示台型店頭表示装置概略図」の[A]「液晶ディスプレイ部」を容易に脱着できるよう、「連結用スライドインフレーム」（４）、「液晶またはノートＰＣ取付サイズ調整金具」（２１）、「液晶又はノートPC収納台兼液晶表示部との連結用フレーム」（６）、「連結ロック金具受け」（８）、また図６の「液晶ディスプレイ付メニュー掲示台型店頭表示装置概略図」の[A]及び[B]に示すように「連結自在金具」（３）を設けてある。更に、図１「液晶ディスプレイ付き手書き黒板型店頭表示装置正面図」の[B]の「液晶ディスプレイ又はノートパソコン収納台」の図に示すように「収納台支柱脚」（１２）を備えている事から、黒板取り付けようイーゼルは不要である。これらの改良により、収納台を移動させる事なく手書き黒板の文字を書き換えたり、或いはメニューを取り替えたり等の日常管理が容易に行える。
【０００８】
更に、「収納台仰角調整金具」（１０）を調整する事により店頭の見込み客に合わせ「収納台」の角度を最適なポジションに調整できる。更にこの「収納台」に必要な電源は、「電源ケーブル」（１７）から供給され、「無線/有線LAN、インターネット接続ケーブル」（１８）を介しインターネットに接続する事ができ、「インターネットサーバー部」（２３）に内蔵されている「ネットイーゼル制御CGIプログラム」（２４）と「ＷＥＢサイト表示装置一体型店頭宣伝用ネットイーゼル」（２２）本体に内蔵された「ネットイーゼル制御装置」（２５）により、あらかじめ用意してある表示用プログラムのうち最適なプログラムを起動し、必要な表示は「液晶ディスプレー」（７）から、音声は「スピーカー」（１３）から、香りは、「芳香カプセル」（１４）から、それぞれの形式を選択しコントロールし、繰り返し提供する事ができるようにしてある。また、ＷＥＢサイトの内容は、「インターネットサーバー部」（２３）内蔵の「ネットイーゼル制御CGIプログラム」（２４）を利用し容易に変更可能であり、「デジタルカメラ」（１６）で撮影した写真や「マイク」（１５）を使用し収音した音声も「インターネットサーバー部」にアップロードし、直に利用できるようになっているため、日替わりやタイムサービス等にも、即対応し宣伝する事ができる。さらに、これらの機能を利用し、定期的もしくは常時サーバーに映像や音声を送信したり、任意の場所からコントロールし記録し、利用する事も可能である。
【０００９】
この収納台には、「液晶ディスプレイ」（７）や「ノートパソコン」（５）を収納しても強度があるように、「主フレーム金具」（９）を備え補強され、且つ放熱が可能なように、充分な空間を設けている。
【００１０】
図４の「液晶メニュー掲示型店頭表示装置概略図」の[B]「液晶ディスプレイ又はノートパソコン収納台」や図５の「液晶メニュー掲示台型店頭表示装置断面図」の[B] 「液晶ディスプレイ又はノートパソコン収納台」に図示しているように、表示装置用コンピューター本体や不要なケーブル等を収納できる「PCまたはノートPC」収納箱を設け、利用方法の多角化と後部からの審美感に配慮し、更に、ロック式「キャスター」（２０）も設け容易に移動し半固定設置できるようにしている。
【００１１】
図８は、 「ネットイーゼルとインターネットの関係図」であり、「WEBサイト表示装置一体型店頭宣伝用ネットイーゼル」（２２）に必要な電源は、電源ケーブル（１７）を通じ、蓄電池または定電圧装置（２６）に供給され、停電の場合でも或いは電源のない場所においても、容易に運用できるようにしてある。又LANケーブルを引き回せない場所も多数ある事から、または内蔵無線ＬＡＮ装置も利用できるようにしてある。更に、ケータイ電話などの外付け無線ＬＡＮ装置に接続するケーブル「無線/有線LAN、インターネット接続ケーブル」（１８）を設備し、インターネットサーバー（２３）に、アクセスできるようにセットしてある。
【００１２】
図２は「液晶ディスプレイ付手書き板店頭表示装置裏面図」であり、図３は「液晶ディスプレイ付手書き板店頭表示装置横面図」であり、図１の「液晶ディスプレイ付手書き板店頭表示装置正面図」をそれぞれ裏側及び右横からみた図である。
図５は「液晶メニュー掲示型店頭表示装置断面図」であり、図４の「液晶メニュー掲示型店頭表示装置概略図」の断面をしめしている。
図７は「液晶ディスプレイ付メニュー掲示台型店頭表示装置断面図」であり、図６の「液晶ディスプレイ付メニュー掲示台型店頭表示装置概略図」の断面を示している。
【図面の簡単な説明】
【００１３】
【図１】液晶ディスプレイ付手書き黒板型店頭表示装置概略図
【図２】液晶ディスプレイ付手書き黒板型店頭表示装置断面図
【図３】液晶ディスプレイ付手書き黒板型店頭表示装置横面図
【図４】液晶メニュー掲示台型店頭表示装置概略図
【図５】液晶メニュー掲示台型店頭表示装置断面図
【図６】液晶ディスプレイ付メニュー掲示台型店頭表示装置概略図
【図７】液晶ディスプレイ付メニュー掲示台型店頭表示装置断面図
【図８】ネットイーゼルとインターネットサーバー関係図
【符号の説明】
【００１４】
１  表示窓用開口部
２  拡大レンズ兼防水カバー
３  連結自在金具
４  連結用スライドインフレーム
５  ノートパソコン
６  液晶またはノートＰＣ収納台兼液晶表示部との連結用フレーム
７  液晶ディスプレイ
８  連結ロック金具受け
９  主フレーム金具
１０  収納台仰角調整金具
１１  ＰＣまたはノートＰＣ収納箱
１２  収納台支柱脚
１３  スピーカー
１４  芳香カプセル
１５  マイク
１６    デジタルカメラ
１７    電源ケーブル
１８    無線/有線ＬＡＮ、インターネット接続ケーブル
１９    スタンド台
２０    キャスター
２１    液晶またはノートＰＣ取付サイズ調整金具
２２    WEBサイト表示装置一体型店頭宣伝用ネットイーゼル
２３    インターネットサーバー部
２４    ネットイーゼル制御CGIプログラム
２５    ネットイーゼル制御装置
２６    蓄電池または定電圧装置
【図１】
2006106299.tif 000003
【図２】
2006106299.tif 000004
【図３】
2006106299.tif 000005
【図４】
2006106299.tif 000006
【図５】
2006106299.tif 000007
【図６】
2006106299.tif 000008
【図７】
2006106299.tif 000009
【図８】
2006106299.tif 000010